(57)【要約】【課題】不適切な変形が生じにくい吸収性物品に関する。【解決手段】吸収性物品は、吸収性コアを具備する。上記吸収性コアは、前後方向の両端部側に位置する前方コア部及び後方コア部と、上記前方コア部及び上記後方コア部の間に位置する中間コア部とを有する。上記吸収性コアは、上記中間コア部と上記後方コア部との間に位置し、上記前後方向と直交する幅方向で上記吸収性コアを横切る境界部を有する。上記境界部には、上記幅方向に連続又は非連続に延びる境界溝部と、上記境界溝部よりも高い坪量を有する小吸収部が設けられる。上記中間コア部及び上記後方コア部には、上記境界溝部よりも坪量の高い領域が設けられる。【選択図】図３
2019208815.tif 000002
【特許請求の範囲】
【請求項１】
前後方向の両端部側に位置する前方コア部及び後方コア部と、前記前方コア部及び前記後方コア部の間に位置する中間コア部とを有する吸収性コアを具備する吸収性物品であって、
前記吸収性コアは、前記中間コア部と前記後方コア部との間に位置し、前記前後方向と直交する幅方向で前記吸収性コアを横切る境界部を有し、
前記境界部には、前記幅方向に連続又は非連続に延びる境界溝部と、前記境界溝部よりも高い坪量を有する小吸収部が設けられ、
前記中間コア部及び前記後方コア部には、前記境界溝部よりも坪量の高い領域が設けられる
吸収性物品。
【請求項２】
前記小吸収部は、前記境界部の前記幅方向中央部に位置する
請求項１記載の吸収性物品。
【請求項３】
前記中間コア部には、前記幅方向の中央部に配置され、該中間コア部の幅方向両側部側よりも坪量の高い高坪量部が設けられ、
前記小吸収部は、前記高坪量部と連結する
請求項１又は請求項２に記載の吸収性物品。
【請求項４】
前記後方コア部には、前記後方コア部の坪量の高い領域よりも坪量が低く、前記前後方向に沿って延在する縦溝部が１本又は２本以上設けられ、
前記縦溝部は、前記境界溝部と連通する
請求項１から請求項３のいずれか１項に記載の吸収性物品。
【請求項５】
前記小吸収部は、１本又は２本以上の前記縦溝部の延長線上に位置する
請求項４に記載の吸収性物品。
【請求項６】
前記後方コア部には、前記後方コア部の坪量の高い領域よりも坪量が低く、前記縦溝部と交わる複数の横溝部が設けられる
請求項４又は請求項５に記載の吸収性物品。
【請求項７】
前記境界溝部は、前記横溝部よりも前記前後方向における寸法が長い
請求項６に記載の吸収性物品。
【請求項８】
前記中間コア部は、前記前方コア部及び前記後方コア部よりも幅が狭い
請求項１から請求項７のいずれか１項に記載の吸収性物品。
【発明の詳細な説明】
【技術分野】
【０００１】
本発明は、生理用ナプキン等の吸収性物品に関する。
【背景技術】
【０００２】
生理用ナプキンを使用した場合、装着者との間に生じた隙間から液が外部へ漏れやすい。このため、装着者に対するフィット性を高めるため、生理用ナプキン等の吸収性物品の前後方向の中央部において、厚さが厚い中高部を備える吸収体が知られている（特許文献１参照）。特許文献１に記載される吸収体の構成では、就寝時に仰向けの姿勢を取ったときに臀部の寝具による潰れの変形を吸収できるように、中高部と後方部との間に、吸収体を幅方向に横切るように吸収材量の目付が他の領域よりも低い領域又は全くない領域が設けられている。
【先行技術文献】
【特許文献】
【０００３】
【特許文献１】特開２０１６−６７８２３号公報
【発明の概要】
【発明が解決しようとする課題】
【０００４】
このような吸収体を幅方向に横切るように目付が低い領域又は全くない領域を設ける場合、目付が低い領域又は全くない領域では剛性が低く、特に当該領域と中高部の剛性差が極めて大きいため、よれ等の不適切な変形が生じやすい。
本発明の課題は、不適切な変形が生じにくい吸収性物品に関する。
【課題を解決するための手段】
【０００５】
本発明の吸収性物品は、吸収性コアを具備する。
上記吸収性コアは、前後方向の両端部側に位置する前方コア部及び後方コア部と、上記前方コア部及び上記後方コア部の間に位置する中間コア部とを有する。
上記吸収性コアは、上記中間コア部と上記後方コア部との間に位置し、上記前後方向と直交する幅方向で上記吸収性コアを横切る境界部を有する。
上記境界部には、上記幅方向に連続又は非連続に延びる境界溝部と、上記境界溝部よりも高い坪量を有する小吸収部が設けられる。
上記中間コア部及び上記後方コア部には、上記境界溝部よりも坪量の高い領域が設けられる。
【発明の効果】
【０００６】
以上のように、本発明の吸収性物品によれば、不適切な変形を生じにくくすることが可能となる。
【図面の簡単な説明】
【０００７】
【図１】本発明の各実施形態に係る吸収性物品を示す斜視図である。
【図２】上記吸収性物品をＸＹ平面に沿って引き延ばした態様を示す平面図である。
【図３】第１の実施形態に係る吸収性物品の吸収性コアを示す平面図である。
【図４】（Ａ）は図３の吸収性コアの中間コア部と後方コア部との間の境界部Ｐ２付近の部分拡大平面図であり、（Ｂ）は図４（Ａ）のＩＶＢ−ＩＶＢ線で切断した吸収性コアの部分断面図である。
【図５】図２に示す吸収性物品の一部を構成する本発明の第２の実施形態に係る吸収性コアを説明するための図であって、（Ａ）は吸収性コアの中間コア部と後方コア部との間の境界部Ｐ２付近の部分拡大平面図であり、（Ｂ）は図５（Ａ）のＶＢ−ＶＢ線で切断した吸収性コアの部分断面図である。
【図６】図２に示す吸収性物品の一部を構成する本発明の第３の実施形態に係る吸収性コアを説明するための図であって、吸収性コアの中間コア部と後方コア部との間の境界部Ｐ２付近の部分拡大平面図である。
【図７】図２に示す吸収性物品の一部を構成する本発明の第４の実施形態に係る吸収性コアを説明するための図であって、（Ａ）は吸収性コアの中間コア部と後方コア部との間の境界部Ｐ２付近の部分拡大平面図であり、（Ｂ）は図７（Ａ）のＶＩＩＢ−ＶＩＩＢ線で切断した吸収性コアの部分断面図である。
【図８】図２に示す吸収性物品の一部を構成する本発明の第５の実施形態に係る吸収性コアを説明するための図であって、吸収性コアの中間コア部と後方コア部との間の境界部Ｐ２付近の部分拡大平面図である。
【図９】図２に示す吸収性物品の一部を構成する本発明の第６の実施形態に係る吸収性コアを説明するための図であって、吸収性コアの中間コア部と後方コア部との間の境界部Ｐ２付近の部分拡大平面図である。
【図１０】吸収性物品の一部を構成する吸収性コアの中間コア部と後方コア部との間の境界部Ｐ２付近の部分拡大平面図であって、吸収性コアの括れと境界Ｐ２との他の位置関係を説明する図であり、また、境界部Ｐ２に設けられる境界溝部の他の配置例を説明する図である。
【図１１】第４の実施形態に係る吸収性物品を装着者が装着したときの吸収性コアにおける境界部Ｐ２付近の状態を説明するための模式図であり、便宜的に吸収性コアのみが図示され、また、前方コア部、中間コア部及び後方コア部における横溝部の図示は省略されている。
【発明を実施するための形態】
【０００８】
＜第１の実施形態＞
［ナプキンの全体構成］
図１及び図２では、Ｘ軸方向が吸収性物品１の前後方向、Ｙ軸方向が幅方向、Ｚ軸方向が上下方向（厚み方向）にそれぞれ対応する。以下、図２に示す態様において吸収性物品１を説明する。
本実施形態の吸収性物品１は、生理用ナプキンとして構成され、以下、ナプキン１と称する。本実施形態のナプキン１は、就寝時に使用されてもよく、例えば前後方向に沿って３０ｃｍ以上の長さを有していてもよい。
【０００９】
図１及び図２に示すように、ナプキン１は、本実施形態において、本体Ｍと、一対のウイング部Ｗと、一対のサイドガードＧと、一対の後方フラップ部Ｆと、を備える。
本体Ｍは、前後方向に延び、装着時に装着者の下着の内面（被装着面）に固定される。本体Ｍは、吸収体を有しており、装着者の経血等の液状物（以下、「液」とも称する）を吸収する機能を有する。
本体Ｍは、前後方向に沿って区分された、前方領域Ｍ１と、中間領域Ｍ２と、後方領域Ｍ３とを有する。
前方領域Ｍ１は、中間領域Ｍ２の前方（装着者の腹側）に配置される領域であり、装着時に装着者の排泄部の前方に対向するように構成される。
中間領域Ｍ２は、装着時に装着者の排泄部に対向するように構成される。なお、中間領域Ｍ２は、図示のように本体Ｍの前方寄りに位置してもよいし、本体Ｍの中央部に位置してもよい。
後方領域Ｍ３は、中間領域Ｍ２の後方（装着者の背側）に配置される領域であり、装着時に装着者の排泄部の後方に対向するように構成される。
【００１０】
ウイング部Ｗは、中間領域Ｍ２において、幅方向の外側に大きく突出するように構成される。
サイドガードＧは、中間領域Ｍ２を含む本体Ｍの幅方向周縁において、前後方向に延びるように配置される。
後方フラップ部Ｆは、後方領域Ｍ３から幅方向の外方に膨出するように構成される。
なお、ナプキン１は、ウイング部Ｗ、サイドガードＧ、及び後方フラップ部Ｆのうちの少なくとも一つを有さなくてもよい。
【００１１】
［ナプキンの各部の構成］
図２に示すように、ナプキン１は、図示しない吸収体と、表面シート１２と、図示しない裏面シートと、一対のサイドシート１４と、圧搾溝部１６と、を備える。本体Ｍにおいて、ナプキン１は、裏面シート、吸収体及び表面シート１２が積層された構成を有する。
【００１２】
吸収体は、Ｘ軸方向に前後方向を有し、ナプキン１の厚み方向中央部に配置される。吸収体は、液を表面シート１２側の面から吸収し、内部で拡散させて当該液を保持する。
吸収体は、吸収性コア２０と、図示しないコアラップシートと、を有する。
吸収性コア２０は、液を吸収及び保持する機能を有する。吸収性コア２０は、例えば、パルプ繊維等の親水性繊維で構成された繊維集合体で形成されてもよいし、当該繊維集合体に吸水性ポリマーを保持させた構成を有していてもよい。
吸収性コア２０に含まれる親水性繊維としては、例えば、パルプ繊維、レーヨン繊維、コットン繊維、酢酸セルロース等のセルロース系の親水性繊維、ポリエチレン、ポリプロピレン等のポリオレフィン系繊維、ポリエステル、ポリアミド等の縮合系繊維等から選ばれる１種又は２種以上を用いることができる。
吸収性コア２０に含まれる吸水性ポリマーとしては、例えば、ポリアクリル酸ナトリウム、アクリル酸−ビニルアルコール共重合体、ポリアクリル酸ナトリウム架橋体、でんぷん−アクリル酸グラフト共重合体、イソブチレン−無水マレイン酸共重合体及びそのケン化物、ポリアスパラギン酸等から選ばれる１種又は２種以上を用いることができる。
コアラップシートは、吸収性コア２０を被覆し、例えば吸収性コア２０の形状を保持する機能等を有する。コアラップシートは、例えばティッシュペーパーのような薄く柔らかい紙や液透過性の不織布等で形成される。
【００１３】
表面シート１２は、液透過性のシート材として構成され、吸収体上に配置される。表面シート１２は、本体Ｍにおいてナプキン１の厚み方向上方の外面を構成する。
裏面シートは、吸収体を挟んで表面シート１２と厚み方向に対向して配置される。裏面シートは、ナプキン１の厚み方向下方の外面を構成する。裏面シートは、例えば周縁部において、表面シート１２及びサイドシート１４と接着剤、熱シール等によって接合される。
一対のサイドシート１４は、表面シート１２を挟んで幅方向に相互に対向し、ナプキン１の幅方向周縁に配置される。
一対の圧搾溝部１６は、吸収体及び表面シート１２を圧搾加工することによって形成された線状溝として構成される。一対の圧搾溝部１６は、表面シート１２、コアラップシート及び吸収性コア２０に形成され、前後方向に延びて幅方向に相互に対向する。
【００１４】
［吸収性コアの構成］
図３に示すように、吸収性コア２０は、前後方向に相互に対向する前方コア部２１及び後方コア部２３と、前方コア部２１及び後方コア部２３の間に位置する中間コア部２２と、を有する。前方コア部２１は前方領域Ｍ１に位置し、中間コア部２２は中間領域Ｍ２から後方コア部２３に跨るように位置し、後方コア部２３は後方領域Ｍ３に位置する。吸収性コア２０は、幅方向において左右対称な平面形状を有する。
【００１５】
中間コア部２２は、前方コア部２１及び後方コア部２３の幅よりも狭い幅を有する。つまり、吸収性コア２０は、中間コア部２２において幅方向に括れた平面形状を有する。
中間コア部２２は、ナプキン１の装着時に装着者の排泄部である膣口に対向配置される排泄部対向部である。前方コア部２１は中間コア部２２よりも装着者の前側（腹側）寄りに配され、後方コア部２３は中間コア部２２よりも装着者の後側（背中側）寄りに配される。
【００１６】
前方コア部２１、中間コア部２２及び後方コア部２３には、縦溝部２７及び横溝部２８が設けられ、そのうえ中間コア部２２には周縁溝部２９が設けられている。
更に、前方コア部２１と中間コア部２２との間の境界部Ｐ１には境界溝部３０が設けられ、中間コア部２２と後方コア部２３との間の境界部Ｐ２には境界溝部３１が設けられている。境界部Ｐ１及び境界部Ｐ２は、それぞれ吸収性コア２０を幅方向に横切るように位置する。
【００１７】
以下の説明において、境界部Ｐ１とは前方コア部２１及び中間コア部２２の間のいずれにも属さない部分をいい、境界部Ｐ２とは後方コア部２３及び中間コア部２２の間のいずれにも属さない部分をいう。
本実施形態では、図３に示すように、平面視したときに吸収性コア２０の幅方向における両側方部において、前後方向中央部から後方に向かって幅が増加し始める箇所に境界部Ｐ２が位置する例をあげるが、吸収性コア２０の括れの位置が境界部Ｐ２を規定するものではない。例えば、図１０に示すように、吸収性コア６５が前後方向中央部から後方に向かって幅が斬増していく領域に、境界部Ｐ２が位置してもよい。尚、ここでは図１０に図示する符号が付されている各構成についての説明を省略し、後述する。
【００１８】
吸収性コア２０は、相対的に坪量が低い低坪量の縦溝部２７、横溝部２８、周縁溝部２９、境界溝部３０及び３１によりブロック状に複数分割されている。これら溝部は、ブロック状に分割されてなるブロック部に対して、厚み方向の上面（装着者の肌側に位置する面）から下方に向かって沈み込むように構成される。一方、ブロック部は、厚み方向上方に突出するように構成される。このように、前方コア部２１、中間コア部２２及び後方コア部２３には、溝部により分割された、境界溝部３０、３１よりも坪量の高い領域であるブロック部が設けられている。
【００１９】
吸収性コア２０において、溝部が形成されている領域、すなわち溝部を形成する底部は、溝部が形成されていないブロック部の領域と比較して、相対的に厚みが薄くなっている。
吸収性コア２０の厚みと坪量は相関関係にある。溝部を形成する底部は、ブロック部と比較して、相対的に坪量が低くなっている。これにより、溝部の底部は、ブロック部と比較して剛性が低くなる。したがって、吸収性コア２０に対して外力が加わったとき、溝部を変形起点として吸収性コア２０は変形しやすくなっている。
なお、変形し易さの観点からは、各溝部は、その周囲のブロック部よりも吸収性材料の坪量が小さいことが望ましい。
【００２０】
以下の説明において、前方コア部２１、中間コア部２２及び後方コア部２３の坪量は、各溝部２７，２８，２９，３０，３１を除くブロック部分の坪量をいうものとする。また、前方コア部２１に位置するブロック部を前方ブロック部５１、中間コア部２２に位置するブロック部を中間低坪量ブロック部５２又は中間高坪量ブロック部５３、後方コア部２３に位置するブロック部を後方ブロック部５４と称する。
【００２１】
縦溝部２７は、前後方向に沿って延び、幅方向に沿って間隔をあけて複数配列されている。縦溝部２７は、前方コア部２１、中間コア部２２及び後方コア部２３のそれぞれを幅方向に分割するように、前後方向の全長にわたって形成されている。
横溝部２８は、幅方向に沿って延び、前後方向に沿って間隔をあけて配列されている。横溝部２８は、前方コア部２１、中間コア部２２及び後方コア部２３のそれぞれを前後方向に分割するように、幅方向の全長にわたって形成されている。なお、本実施形態では、境界部Ｐ１，Ｐ２に形成される境界溝部３０及び３１は横溝部２８に含めない。
周縁溝部２９は、後述する高坪量部２４の前後方向外縁に沿って形成されている。低坪量で変形しやすい周縁溝部２９を設けることによって、高坪量部２４の周囲の変形が周縁溝部２９に吸収されるため、高坪量部２４が周囲の変形の影響を受けにくくなる。
なお、縦溝部２７、横溝部２８及び周縁溝部２９の形状や配置などの構成は、図３に記載された構成に限定されず、吸収性コア２０の形状や要求される機能等に基づいて適宜設定される。
【００２２】
境界溝部３０及び３１は、幅方向Ｙに延びるように、境界部Ｐ１、Ｐ２に配されている。吸収性コア２０では、境界溝部３０及び３１は、横溝部２８と平行に配列され、吸収性コア２０を幅方向に横切るように位置し、境界部Ｐ１，Ｐ２に配列される。境界溝部３０は幅方向に沿って連続して延在し、境界溝部３１は幅方向に沿って非連続で延在する。
境界部Ｐ２は、中間コア部２２のブロック部５２及び５３、後方コア部２３のブロック部５４よりも坪量が低い境界溝部３１を含み、中間コア部２２及び後方コア部２３よりも剛性が低く変形しやすくなっている。境界部Ｐ２は、ナプキン１の装着時に、装着者の身体の曲率変形が大きい排泄部から臀部に向かう領域にほぼ対応して位置し、曲率変形の大きい領域の肌にフィットするように、境界部Ｐ２に設けられる境界溝部３１を変形起点として変形しやすくなっている。境界部Ｐ１，Ｐ２付近の詳細な構成については後述する。
【００２３】
このように、低坪量で変形しやすい縦溝部２７、横溝部２８、周縁溝部２９、境界溝部３０及び３１を設けることで、吸収性コア２０の柔軟性を高めることができる。また、溝部を設けることにより溝の空間に排泄された液を素早く引き込み、吸収性コア２０内に取り込むことができ、液吸収速度を高めることができる。また、吸収性コア２０が複数のブロック部に区画されることで、吸収性コア２０の表面積を高め、液を効率よく吸収し保持することができる。
【００２４】
［後方コア部の構成］
後方コア部２３において、縦溝部２７は５本配置されている。幅方向中央部に位置する３本の幅広の中央縦溝部２７ａは、これら３本の中央縦溝部２７ａを挟むように配置された一対の、中央縦溝部２７ａよりも幅が狭い、幅狭の側方縦溝部２７ｂよりも幅方向における寸法が長くなっている。尚、縦溝部２７ａ、２７ｂというように特に区別する必要がない場合は、単に縦溝部２７と称する。
後方コア部２３に縦溝部２７が設けられることにより、ナプキン１の装着時に、縦溝部２７を変形起点として幅方向で臀部を包み込むように吸収性コア２０が変形しやすくなり、臀部と装着者の肌との間の隙間が生じにくくなる。
【００２５】
更に、本実施形態では、後方コア部２３において、幅方向中央部に、両側方部に位置する側方縦溝部２７ｂよりも幅が広い中央縦溝部２７ａが位置しているので、中央部は、両側方部と比較して吸収性コア２０の厚みが薄い領域が多くなり、曲げ方向の剛性が低くなる。したがって、ナプキン１が装着されて吸収性コア２０に外力が加わったとき、後方コア部２３では、幅方向の中央部が両側方部よりも優先的に変形しやすくなる。これにより、後方コア部２３の幅方向中央部は臀裂に沿って変形しやすくなり、臀裂と装着者の肌との間の隙間が生じにくくなり、液を吸収性コア２０により効率的に吸収することができ、液漏れの発生が抑制される。
【００２６】
また、後方コア部２３において、横溝部２８が設けられることにより、ナプキン１の装着時に、前後方向で臀部を包み込むように変形しやすくなり、臀部と装着者の肌との間の隙間が生じにくくなり、液漏れの発生が抑制される。
【００２７】
［中間コア部の構成］
図３に示すように、中間コア部２２は、高坪量部２４と、低坪量部２５とを含む。図３では、高坪量部２４を高密度のドットパターンで示し、低坪量部２５を低密度のドットパターンで示している。低坪量部２５は複数の中間低坪量ブロック部５２を有し、高坪量部２４は複数の中間高坪量ブロック部５３を有する。
【００２８】
高坪量部２４は、中間コア部２２の幅方向中央部に形成され、装着時に装着者の排泄部
に対向するように配置される。高坪量部２４は前後方向に延びる。
高坪量部２４は、相対的に坪量が高く、前方コア部２１及び後方コア部２３、並びに低坪量部２５より高い坪量を有する。このため、高坪量部２４は、低坪量部２５、前方コア部２１及び後方コア部２３から厚み方向上方に突出するように構成される。
【００２９】
低坪量部２５は、高坪量部２４の周囲に形成される、高坪量部２４よりも坪量が低い部分である。低坪量部２５は、高坪量部２４の上面から下方に向かって沈み込むように構成される。
低坪量部２５は、本実施形態において、高坪量部２４の幅方向外側に、左右に分かれて配置される。
【００３０】
中間コア部２２には、周縁溝部２９と、１つの縦溝部２７ｃと、４つの横溝部２８が設けられている。ここでは、他のコア部に設けられる縦溝部２７と区別するために中間コア部２２に位置する縦溝部を縦溝部２７ｃと称して説明するが、特に区別する必要がない場合は、単に縦溝部２７と称する。
縦溝部２７ｃは、高坪量部２４の幅方向中央に位置する。縦溝部２７ｃは、前方コア部２１の幅方向中央に位置する縦溝部２７と、後方コア部２３の幅方向中央に位置する１つの幅広の中央縦溝部２７ａと同一直線上に位置し、境界溝部３０、３１を介して互いに連通している。縦溝部２７ｃの幅は、同一直線上に位置する前方コア部２１の縦溝部２７及び後方コア部２３の中央縦溝部２７ａよりも狭くなっている。
４つの横溝部２８は、幅方向に沿って中間コア部２２を横切るように等間隔で互いに平行に配置される。
【００３１】
吸収性コア２０では、低坪量部２５、前方コア部２１及び後方コア部２３、高坪量部２４の順に坪量が高くなるように構成される。吸収性コア２０では、坪量は剛性及び厚みに相関しており、吸収性コア２０では、低坪量部２５、前方コア部２１及び後方コア部２３、高坪量部２４の順に剛性が高くなり、厚みが厚くなるように構成される。
本実施形態では、最も剛性の低い低坪量部２５が、中間コア部２２の幅方向外側に配置される。このため、装着者の脚等により幅方向内方へ向かう外力が付加された場合、低坪量部２５が大きく幅方向に圧縮変形する。
一方で、低坪量部２５の圧縮変形により、前後方向（Ｘ軸方向）の成分を含む張力（引っ張り力）が発生するが、低坪量部２５は剛性が低いため、前方コア部２１及び後方コア部２３を変形させるような大きな張力が発生しにくい。つまり、低坪量部２５は、幅方向内方へ向かう外力の緩衝領域として作用し、外力の影響が前方コア部２１及び後方コア部２３へ伝搬することを防止できる。
【００３２】
また、低坪量部２５により外力が緩衝されることで、中間コア部２２の幅方向中央部に位置する高坪量部２４の変形も防止することができる。したがって、排泄部と高坪量部２４との間に隙間ができることを防止し、前方及び後方に加えて、幅方向の液漏れも防止することができる。
【００３３】
このように、前方コア部２１及び後方コア部２３は、低坪量部２５によって、幅方向内方へ向かう外力の影響を受けにくくなる。
また、低坪量部２５の圧縮変形に伴う張力は、中間コア部２２と、前方コア部２１及び後方コア部２３との間の境界部Ｐ１，Ｐ２付近に特に作用しやすい。そこで、当該張力の影響をより低減させるため、境界部Ｐ１，Ｐ２付近に配置される各部を以下のように構成することができる。
【００３４】
［境界部付近の構成］
図３に示すように、高坪量部２４の前後方向端部は、それぞれ前方向、後方向の先端に向かって幅が漸減する形状を有する。これにより、中間コア部２２の境界部Ｐ１，Ｐ２に隣接する領域において、外力の緩衝領域として作用する低坪量部２５の占める割合を大きくすることができる。したがって、低坪量部２５による外力緩衝作用を高め、前方コア部２１及び後方コア部２３の不適切な形状への変形を効果的に防止することができる。
【００３５】
図３及び図４において、高坪量部２４を構成する複数の中間高坪量ブロック部５３のうち境界部Ｐ２側に位置する２つの中間高坪量ブロック部５３を、中間高坪量ブロック部５３ａと称する。また、後方コア部２３に位置する後方ブロック部５４のうち、境界部Ｐ２に隣接し、幅方向中央部に位置する２つの後方ブロック部５４を、後方ブロック部５４ａと称する。尚、中間高坪量ブロック部５３ａ、後方ブロック部５４ａと特に区別する必要がない場合は、単に中間高坪量ブロック部５３、後方ブロック部５４と称する。
【００３６】
吸収性コア２０では、境界部Ｐ１及びＰ２は、前後方向における寸法が吸収性コア２０の幅方向に沿って均一となるように等幅となっている。境界部Ｐ１及びＰ２は、横溝部２８と平行に位置する。
境界部Ｐ１は、境界溝部３０を含み、境界溝部３０により前方コア部２１と中間コア部２２とが分けられている。
境界部Ｐ２には、図３及び図４（Ａ）に示すように、平面視したとき、境界溝部３１と小吸収部３５が設けられている。境界溝部３１により中間コア部２２の中間低坪量ブロック部５２及び中間高坪量ブロック部５３と、後方コア部２３の後方ブロック部５４とが分けられている。
【００３７】
小吸収部３５は、境界部Ｐ２の幅方向中央部に位置する。
小吸収部３５は、境界溝部３１よりも坪量が高く、吸収性コア２０の厚み方向における厚みも境界溝部３１よりも厚く、境界溝部３１を形成する底面からみて厚み方向上方に突出するように形成された突出部である。
小吸収部３５は、小吸収部片３５ａと小吸収部片３５ｂから構成される。小吸収部片３５ａと小吸収部片３５ｂは、幅方向に沿って互いに離間し、後述する第２の境界溝部３１ｂを介して互いに対向して位置する。小吸収部片３５ａと小吸収部片３５ｂはそれぞれ前後方向に境界部Ｐ２を横切るように位置する。
【００３８】
吸収性コア２０では、境界溝部３１は、幅方向に沿って、非連続に吸収性コア２０を横切るように幅方向に沿って延在する。境界溝部３１は、第１の境界溝部３１ａと、第２の境界溝部３１ｂと、第３の境界溝部３１ｃとから構成される。
第１の境界溝部３１ａと第３の境界溝部３１ｃとは、小吸収部３５を介して相互に対向して幅方向に沿って位置する。
第２の境界溝部３１ｂは、縦溝部２７ｃ及び後方コア部の幅方向中央に位置する１つの中央縦溝部２７aと連通し、これら縦溝部と同一直線上に位置し、前後方向全長に亘って連続した１つの縦溝部２７を形成する。第２の境界溝部３１ｂは、小吸収部片３５ａと小吸収部片３５ｂとの間に位置する。
境界部Ｐ２の幅方向における小吸収部３５が設けられる領域において、境界溝部３１は、前後方向における寸法である溝幅が境界部Ｐ２の前後方向における寸法よりも短くなっており、本実施形態では溝幅が０となっている。このように、小吸収部３５が位置することにより境界溝部３１は非連続に延在した形状となっている。
【００３９】
図３及び図４に示すように、中間高坪量ブロック部５３ａと後方ブロック部５４ａとは、それぞれ小吸収部片３５ａ（３５ｂ）と連結し、小吸収部片３５ａ（３５ｂ）を介して連なった形状となっている。中間高坪量ブロック部５３ａ、小吸収部片３５ａ（３５ｂ）及び後方ブロック部５４ａが連なってなるブロック部７１は、平面視したときに、前後方向に延在し、前後方向中央部付近に、幅方向の寸法が狭くなる括れ部を有する形状となっている。括れ部は境界部Ｐ２に位置する。ブロック部７１は２つ設けられる。吸収性コア２０を平面視したとき、２つのブロック部７１は、吸収性コア２０の幅方向中央に位置し同一直線上にある縦溝部２７ｃ、第２の境界溝部３１ｂ及び中央縦溝部２７ａに対して左右対称（線対称）の位置関係で配置される。
【００４０】
図４（Ｂ）に示すように、ブロック部７１において、小吸収部片３５ａは、中間高坪量ブロック部５３ａから後方ブロック部５４ａに向かって徐々に厚みが減少していくように構成され、小吸収部片３５ｂについても同様である。尚、小吸収部３５の厚みはＸＹ平面内で均一であってもよい。例えば、小吸収部３５の厚みは、中間高坪量ブロック部５３ａや後方ブロック部５４ａの厚みと同等であってもよく、境界溝部３１の底面の厚みよりも厚く、境界溝部３１よりも坪量が高ければよい。
【００４１】
図４（Ａ）に示すように、中間コア部２２の境界部Ｐ２に隣接する中間低坪量ブロック部５２と、後方コア部２３の境界部Ｐ２に隣接する後方ブロック部５４であって幅方向中央部に位置する２つの後方ブロック部５４ａを除く後方ブロック部５４とは、第１の境界溝部３１ａ及び第３の境界溝部３１ｃによって隔てられ離間して配置される。
第１の境界溝部３１ａは、図４（Ａ）において、後方コア部２３の左側に配列される２つの縦溝部２７と連通する。第３の境界溝部３１ｃは、後方コア部２３の右側に配列される２つの縦溝部２７と連通する。
【００４２】
このように、吸収性コア２０において、境界部Ｐ２に、ブロック部５２，５３及び５４よりも低坪量で剛性の低い境界溝部３１を設けることにより、ナプキン１を装着したときに、股下部から後方部にかけて境界溝部３１を変形起点として体の形状に沿って吸収性コア２０が変形しやすくなり、体へのフィット性が向上する。
同様に、境界部Ｐ１においても、境界溝３０を設けることにより、股下部から前方部にかけて境界溝部３０を変形起点として体の形状に沿って吸収性コア２０が変形しやすくなり、体へのフィット性が向上する。
【００４３】
また、境界溝部３１を設けることにより、ナプキン１の装着時に、後方コア部２３に発生する変形が境界溝部３１で吸収されて中間コア部２２に伝播しにくい。例えば、後方コア部２３で生じた変形に追従して境界部Ｐ２が変形しても、境界部Ｐ２は境界溝部３１を含むことにより中間コア部２２及び後方コア部２３に比して剛性が低いため、境界溝部３１での変形が中間コア部２２に伝播しにくい。同様に、中間コア部２２に発生する変形は後方コア部２３に伝播しにくい。
従って、境界溝部３１を設けることにより、中間コア部２２と後方コア部２３との間で、一方で生じた変形が他方に及ぼす影響を低減させることができ、他方の不適切な形状への変形に起因する吸収性コア２０の壊れ、装着ずれ等を抑制することができ、液漏れを抑制することができる。
【００４４】
更に、境界溝部３１を設けることにより相対的に剛性が低くなっている境界部Ｐ２に、境界溝部３１よりも坪量の高い小吸収部３５を設けることにより、小吸収部３５を設けない場合と比較して境界部Ｐ２の曲げ強度が向上する。これにより、例えば装着者の激しい動きにより境界部Ｐ２に外力が加わっても、境界部Ｐ２での過度な変形、例えばよれや千切れなどの発生を抑制することができ、また、吸収性コア２０の壊れ等の発生を抑制することができる。このように吸収性コア２０に不適切な変形が生じにくくなるため、液漏れが生じにくくなる。
【００４５】
以上のように、境界部Ｐ２に境界溝部３１及び小吸収部３５を設けることにより、体へのフィット性を向上させつつ、境界部Ｐ２でのよれや千切れ等の発生が抑制されるため、装着者が激しい動きをしても、吸収性コア２０に不適切な変形が生じにくく、液漏れが生じにくくなる。
【００４６】
また、小吸収部３５を吸収性コア２０の幅方向中央部に設けることにより、境界溝部３１を、幅方向中心線に対して左右対称の形状で配置することができる。これにより、境界部Ｐ２における吸収性コア２０の形状保持性を向上させることができ、不適切な吸収性コア２０の変形が抑制される。また、幅方向中央部に小吸収部３５を設けることにより、液吸収後のナプキン１においても、左右のバランスをうまくとることができ、形状保持性を向上させることができる。
【００４７】
また、中間コア部２２の中間高坪量ブロック部５３ａと小吸収部片３５ａ（３５ｂ）は連結し、更に小吸収部片３５ａ（３５ｂ）と後方コア部２３の後方ブロック部５４ａとは連結しているので、中間高坪量ブロック部５３ａで取り込まれた液は、小吸収部片３５ａ（３５ｂ）を介して後方ブロック部５４ａへと速やかに拡散されやすくなる。これにより、中間コア部２２で液だまりしにくくなりナプキン１の後方部へも効率よく液を拡散することができるため、幅方向への液漏れを抑制することができる。
【００４８】
また、後方コア部２３に縦溝部２７を設けることにより、ナプキン１の装着時において、後方ブロック部５４の変形が抑制される。
すなわち、後方コア部２３に対して装着者の左右の臀部により幅方向内方へ向かう外力が付加された場合、低坪量の縦溝部２７によって幅方向内方へ向かう外力を緩衝することができ、後方ブロック部５４の変形が抑制される。
【００４９】
尚、中間高坪量ブロック部５３ａと後方ブロック部５４ａとは小吸収部片３５ａ（３５ｂ）を介して連結しているが、ブロック部７１は括れた形状を有しているので、ブロック部７１において、高坪量部２４で生じた変形は、幅狭の括れ部分により後方ブロック部５４ａに伝播されにくく、また、同様に、後方ブロック部５４ａで生じた変形は幅狭の括れ部分により中間高坪量ブロック部５３ａに伝播されにくい。
【００５０】
また、後方コア部２３に配列される縦溝部２７は境界溝部３１と連通している。後方コア部２３に縦溝部２７が配列されることにより、幅方向の外力が付加されたときに縦溝部２７を変形起点として後方コア部２３は変形しやすくなっている。この際、後方コア部２３の縦溝部２７に加わる外力は、当該縦溝部２７と連通する境界溝部３１へ伝播する。境界溝部３１は剛性が低いため伝播された外力を吸収するので、後方ブロック部５４へ外力が加わりにくく後方ブロック部５４の壊れが抑制され、更に、後方コア部２３で生じた変形が、中間コア部２２の高坪量部２４へ伝播しにくい。
【００５１】
また、図３及び図４（Ａ）に示すように、後方コア部２３の幅方向中央に位置する１つの中央縦溝部２７ａと中間コア部２２の縦溝部２７ｃとは、第２の境界溝部３１ｂを介して連通している。これにより、中間コア部２２の縦溝部２７ｃの空間に引き込まれた液は溝部を通って後方へ拡散しやすくなる。これにより、中間コア部２２で液だまりしにくくなりナプキン１の後方部へも効率よく液を拡散することができ、幅方向への液漏れを抑制することができる。
【００５２】
また、後方コア部２３に位置する５つの縦溝部２７のうち幅方向中央に位置する１つの中央縦溝部２７ａ以外の４つの縦溝部２７は、第１の境界溝部３１ａ又は第３の境界溝部３１ｃと連通している。更に、第１の境界溝部３１ａ及び第３の境界溝部３１ｃと、周縁溝部２９とは連通している。これにより、中間コア部２２の周縁溝部２９の空間に引き込まれた液は、第１の境界溝部３１ａ及び第３の境界溝部３１ｃを介して後方コア部２３に配列される縦溝部２７へ拡散しやすくなる。これにより、中間コア部２２で液だまりしにくくなりナプキン１の後方部へも効率よく液を拡散することができ、幅方向への液漏れを抑制することができる。
【００５３】
また、平面視したときに、小吸収部３５は、後方コア部２３の幅方向中央に位置する１つの中央縦溝部２７ａの前後方向延長線上に位置している。これにより、後方コア部２３の幅方向中央に中央縦溝部２７aが配列されない構成と比較して、後方コア部２３の変形が、小吸収部３５を介して中間コア部２２へ伝播することがより抑制される。
【００５４】
また、後方コア部２３には、縦溝部２７と交わる複数の横溝部２８が設けられている。これにより、後方コア部２３に加わる外力が、縦溝部２７に加え横溝部２８によっても分散されることになり、高坪量部２４への後方コア部２３の変形の伝播が更に抑制される。
【００５５】
また、境界溝３１は、横溝部２８よりも溝幅が広くなっていてもよい。これにより、装着者の身体の曲率変形が大きい排泄部から後方部にかけた領域に対応する中間コア部２２から後方コア部２３にかけた吸収性コア２０の変形が容易となり、肌と吸収性コア２０との隙間が低減される。更に、溝幅が広い境界溝３１により後方コア部２３の変形が中間コア２２に及ぼす影響が低減されるので、高坪量部２４が装着者の肌側に向かって盛り上がるよう高坪量部２４の起立性を高めることができ、高坪量部２４と肌との隙間が低減される。
【００５６】
また、吸収性コア２０は、前方コア部２１及び後方コア部２３よりも幅狭な中間コア部２２を有している。これにより、装着者の両脚が閉じ股間幅が狭くなった場合に、高坪量部２４に付加される幅方向内側への外力を低減させることができる。また、高坪量部２４の起立性を高めることができる。
【００５７】
（吸収性コアの製造方法）
複数の溝部によってブロック状に区画され、凹凸構造を有する上記の吸収性コア２０は、例えば外周面に集積用凹部を有する積繊ドラムを備える積繊装置を用いて製造することができる。積繊装置では、積繊ドラムの外周面にパルプ繊維等のコア材料を供給することにより、集積用凹部内にコア材料を堆積させる。この堆積してなる積繊体を集積用凹部から離型することによって吸収性コアを得ることができる。
積繊装置を用いた吸収性コア２０の製造では、境界部Ｐ２に配置される小吸収部３５を形成するために、用いる積繊ドラムの集積用凹部に、ブロック部形成用の凹部の他、小吸収部形成用の凹部も設けられている。集積用凹部の凹部にコア材料が堆積されることによりブロック部５１〜５４及び小吸収部３５が形成される。
【００５８】
＜他の実施形態＞
以下、他の実施形態について第２〜第６の実施形態をあげて説明する。以下の各実施形態においては、吸収性コアにおける中間コア部２２と後方コア部２３との境界部Ｐ２付近の構造が異なる点でのみ、第１の実施形態と相違する。以下の各実施形態で説明する吸収性コアを備えたナプキンの外観は、図１に示す斜視図及び図２に示す平面図と同様である。また、各実施形態では、第１の実施形態と同じ構成については、同様の効果を奏している。
以下の各実施形態においても、第１の実施形態と同様に、中間コア部２２及び後方コア部２３それぞれに位置するブロック部の坪量は境界溝部よりも高くなっている。
以下では、第１の実施形態と同様の構成については同様の符号を付し、説明を省略する場合があり、主に異なる構成について説明する。
【００５９】
＜第２の実施形態＞
図５を用いて第２の実施形態のナプキン１の吸収性コア６０について説明する。
吸収性コア６０では、図５（Ｂ）に示すように、小吸収部３６が、延在部５８を含む形状である。延在部５８は、中間コア部２２に位置する中間高坪量ブロック部５３ａの上部が前後方向に境界部Ｐ２を横切るように後方ブロック部５４ａまで延在している庇状の部分である。以下、詳細に説明する。
【００６０】
吸収性コア６０の境界部Ｐ２には、小吸収部３６と、境界溝部８０が設けられている。
図５（Ｂ）に示すように、小吸収部３６は、吸収性コア６０を平面視したときに延在部５８と重なり合う境界溝部８０の一部８０ｄと、延在部５８とを含む。
境界溝部８０は、吸収性コア６０を幅方向に沿って横切るように連続した形状で配列されるが、図５（Ａ）及び（Ｂ）に示すように、境界溝部８０の幅方向中央部を覆うように庇状の延在部５８が位置するため、平面視したとき、延在部５８の存在によって境界溝部８０は非連続の形状をとる。
平面視したとき、境界溝部８０は、第１の境界溝部８０ａと、第２の境界溝部８０ｂと、第３の境界溝部８０ｃとを有する。平面視した形状は、第１の実施形態と同様である。
【００６１】
ここで、小吸収部３６の坪量とは、小吸収部３６を構成する延在部５８と境界溝部８０の一部８０ｄの両方を含めた坪量を指す。また、小吸収部３６の厚みとは、延在部５８の厚みと、境界溝部８０の一部８０ｄの厚みとの和を指す。
小吸収部３６の坪量は、境界溝部８０の坪量よりも高くなっており、境界溝部８０の厚みは、小吸収部３６の厚みよりも薄くなっている。
【００６２】
小吸収部３６は、小吸収部片３６ａと小吸収部片３６ｂとから構成される。小吸収部片３６ａは、２つの中間高坪量ブロック部５３ａの一方から延在する延在部５８とこれに対応する境界溝部８０の一部８０ｄとからなる。小吸収部片３６ｂは、２つの中間高坪量ブロック部５３ａの他方から延在する延在部５８とこれに対応する境界溝部８０の一部８０ｄとからなる。
小吸収部３６を構成する延在部５８は中間高坪量ブロック部５３ａと連結している。更に、延在部５８は、後方コア部２３の後方ブロック部５４ａまで延在しており、後方ブロック部５４ａと当接する。
従って、平面視したときに、中間高坪量ブロック部５３ａと、小吸収部片３６ａ（３６ｂ）と、後方ブロック部５４ａとは連なってブロック部７２を形成する。ブロック部７２は、前後方向に延在し、前後方向中央部付近に、幅方向の寸法が狭くなる括れ部を有する形状となっており、当該括れ部は境界部Ｐ２に位置する。ブロック部７２は２つ設けられる。
【００６３】
凹凸構造を有する上述の吸収性コア６０は、第１の実施形態と同様に、外周面に集積用凹部を有する積繊ドラムを備える積繊装置を用いて製造することができる。
積繊装置を用いた吸収性コア６０の製造では、用いる積繊ドラムの集積用凹部には、ブロック部形成用の凹部が設けられており、境界部Ｐ２に配置される小吸収部３６を形成するための凹部は設けられていない。このような積繊ドラムを用い、積繊ドラムの回転速度や回転方向、コア材料の供給量等を調整することによって、図５（Ｂ）に示すように、中間コア部２２の中間高坪量ブロック部５３ａの上部から後方コア部２３の後方ブロック部５４ｂに向かって境界溝部８０の一部８０ｄを覆うようにコア材料が延在してなる延在部５８を形成することができる。
【００６４】
このように、小吸収部３６は、中間高坪量ブロック部５３ａからコア材料が延在してなる庇状の延在部５８を含んでもよい。本実施形態においては、延在部５８が後方ブロック部５４と当接するように延在しているので、中間高坪量ブロック部５３ａで取り込まれた液は、小吸収部３６を介して後方ブロック部５４ａへと速やかに拡散されやすくなる。これにより、中間コア部２２で液だまりしにくくなりナプキン１の後方部へも効率よく液を拡散することができるため、幅方向への液漏れを抑制することができる。
【００６５】
また、後方コア部２３に位置する縦溝部２７の全てが、連続して延在する１つの境界溝部８０と連通している。
これにより、後方コア部２３の各縦溝部２７に加わる外力は、境界溝部８０へ効率よく分散されて伝播されるので、境界溝部８０において伝播された外力が局所的に集中しにくく、境界溝部８０で伝播された外力を効率よく吸収することができる。したがって、後方コア部２３で生じた変形が、中間コア部２２へより伝播しにくくなる。
更に、後方コア部２３に位置する全ての縦溝部２７と境界溝部８０とが連通していることにより、中間コア部２２の縦溝部２７ｃ及び周縁溝部２９の空間に引き込まれた液は、境界溝部８０を介して後方コア部２３に配列される縦溝部２７へ拡散しやすくなる。これにより、中間コア部２２で液だまりしにくくなりナプキン１の後方部へも効率よく液を拡散することができ、幅方向への液漏れを抑制することができる。
【００６６】
尚、本実施形態では、庇状の延在部５８が中間高坪量部５３ａの上部から延在して形成された構成を説明したが、後方ブロック部５４ａの上部から庇状の延在部が延在し、当該延在部が中間高坪量部５３ａと当接するように構成してもよい。
【００６７】
＜第３の実施形態＞
図６を用いて本実施形態のナプキン１の吸収性コア６１について説明する。
上述の実施形態では、平面視したときに、小吸収部が２つの小吸収部片から構成される例をあげたが、図６に示すように、小吸収部３７が１つの小吸収部片から構成されてもよい。
図６に示すように、吸収性コア６１の境界部Ｐ２には、小吸収部３７と、境界溝部８１が設けられている。
小吸収部３７は、境界部Ｐ２の幅方向中央部に位置し、境界溝部８１よりも坪量が高い。小吸収部３７は、境界部Ｐ２の前後方向に沿って境界部Ｐ２を横切るように設けられている。
境界溝部８１は、小吸収部３７を介して幅方向に対向して位置する一対の境界溝部８１ａと境界溝部８１ｂとから構成される。境界溝部８１は、小吸収部３７の存在により非連続で吸収性コア６１を幅方向に横切るように位置する。
【００６８】
図６に示すように、２つの中間高坪量ブロック部５３ａと２つの後方ブロック部５４ａとは、それぞれ小吸収部３７と連結し、小吸収部３７を介して連なった形状となっている。２つの中間高坪量ブロック部５３ａ、小吸収部３７及び２つの後方ブロック部５４ａが連なってなるブロック部７３は、平面視したときにＸ字形状を有し、幅方向中心線に対して左右対称の形状となっている。ブロック部７３は、前後方向に延在し、前後方向中央部付近に、幅方向の寸法が狭くなる括れ部を有する形状となっており、当該括れ部は境界部Ｐ２に位置する。
【００６９】
ブロック部７３において、小吸収部３７は、例えば、第１の実施形態と同様に、中間高坪量ブロック部５３ａから後方ブロック部５４ａに向かって徐々に厚みが減少していくように構成されもよいし、ＸＹ平面内における厚みが均一となるように構成されてもよい。或いは、第２の実施形態と同様に、中間高坪量ブロック部５３ａの上部が延在した延在部が小吸収部３７の一部を構成してもよい。
ここでは、第１の実施形態と同様の中間高坪量ブロック部５３ａから後方ブロック部５４ａに向かって徐々に厚みが減少していく形状を例にあげて説明する。
本実施形態では、平面及び断面の双方からみて、後方コア部２３の幅方向中央に位置する１つの中央縦溝部２７ａと中間コア部２２の縦溝部２７ｃとは、間に小吸収部３７を介することにより相互に連通していない。
【００７０】
本実施形態では、小吸収部の幅方向の寸法が同じである場合、第１の実施形態のように小吸収部３５の幅方向中央に第２の境界溝部８１ｂがある構成と比較して、小吸収部３７の形成面積を大きくとることができる。これにより、より境界部Ｐ２の曲げ強度を向上させることができる。また、小吸収部３５の形成面積を大きくとることにより中間高坪量ブロック部５３ａで取り込まれた液を、小吸収部３７を介して後方ブロック部５４ａへとより速やかに拡散することができる。
【００７１】
＜第４の実施形態＞
図７を用いて本実施形態のナプキン１の吸収性コア６２について説明する。
上述の各実施形態では、平面視したときに、境界溝部が非連続に延在した形状を有していたが、図７に示すように、平面視したときに、境界溝部８２が吸収性コア６２を幅方向に横切って幅方向全長に亘って連続的に延在する形状を有してもよく、小吸収部３８が、中間高坪量ブロック部５３ａと後方ブロック部５４ａのいずれとも連結又は当接せず、分離されたブロック形状を有していてもよい。
【００７２】
図７に示すように、境界部Ｐ２には、小吸収部３８と、境界溝部８２が設けられている。
小吸収部３８は、境界部Ｐ２の幅方向中央部に位置し、境界溝部８２よりも坪量が高く、小吸収部３８の厚みは、境界溝部８２よりも厚くなっている。小吸収部３８の前後方向における寸法は、境界部Ｐ２の前後方向における寸法よりも短い。尚、ここでは、小吸収部３８の平面形状を矩形としたがこれに限定されない。
小吸収部３８は、境界溝部８２の外形により囲まれた領域の内側に位置する。境界部Ｐ２の幅方向における小吸収部３８が設けられる領域での境界溝部８２の溝幅の寸法は、境界部Ｐ２の前後方向の寸法と小吸収部３８の前後方向の寸法との差とする。境界溝部８２は、連続して吸収性コア６２を幅方向に横切るように位置し、その溝幅の寸法は、幅方向中央部で短くなるように構成される。
【００７３】
図７（Ａ）、（Ｂ）に示すように、２つの中間高坪量ブロック部５３ａと２つの後方ブロック部５４ａとは、それぞれ小吸収部３８と連結していない。しかしながら、図１１に示すように、装着者Ｐが、ショーツＳにナプキン１を固定して装着した際、吸収性コア６２の境界部Ｐ２付近では、吸収性コア６２が装着者の体に沿って変形することにより、小吸収部３８は、中間高坪量ブロック部５３ａ、後方ブロック部５４ａと当接する形状となる。
【００７４】
したがって、ナプキン１の装着時、中間コア部２２の中間高坪量ブロック部５３ａと小吸収部３８は当接し、更に小吸収部３８と後方コア部２３の後方ブロック部５４ａとは当接するので、中間高坪量ブロック部５３ａで取り込まれた液は、小吸収部３８を介して後方ブロック部５４ａへと速やかに拡散されやすくなる。これにより、中間コア部２２で液だまりしにくくなりナプキン１の後方部へも効率よく液を拡散することができるため、幅方向への液漏れを抑制することができる。
【００７５】
また、後方コア部２３に位置する縦溝部２７の全てが、連続して延在する１つの境界溝部８２と連通している。
これにより、後方コア部２３の各縦溝部２７に加わる外力は、境界溝部８２へと効率よく分散されて伝播されるので、境界溝部８２において伝播された外力が局所的に集中しにくく、境界溝部８２で伝播された外力を効率よく吸収することができる。したがって、後方コア部２３で生じた変形が、中間コア部２２へより伝播しにくくなる。
更に、後方コア部２３に位置する全ての縦溝部２７と、境界溝部８２と、中間コア部２２の縦溝部２７ｃと、周縁溝部２９とが連通していることにより、中間コア部２２の縦溝部２７ｃ及び周縁溝部２９の空間に引き込まれた液は、境界溝部８２を介して後方コア部２３に配列される縦溝部２７へ拡散しやすくなる。これにより、中間コア部２２で液だまりしにくくなりナプキン１の後方部へも効率よく液を拡散することができ、幅方向への液漏れを抑制することができる。
【００７６】
このように、ナプキン１をＸＹ平面に沿って引き延ばした態様で小吸収部３８が中間高坪量ブロック部５３ａ、後方ブロック部５４ａと連結又は当接していなくとも、装着時に当接可能となるように小吸収部３８を設けることができる。
【００７７】
＜第５の実施形態＞
図８を用いて本実施形態のナプキン１の吸収性コア６３について説明する。
本実施形態では、第４の実施形態と同様に境界溝部が吸収性コアを幅方向に横切るように幅方向全長に亘って連続して形成される場合の他の構成について説明する。
図８に示すように、本実施形態では、平面視したときに、小吸収部３９は、中間高坪量ブロック部５３ａと連結し、後方ブロック部５４ａとは連結していない形状を有している。
図８に示すように、境界部Ｐ２には、小吸収部３９と、境界溝部８３が設けられている。
小吸収部３９は、境界部Ｐ２の幅方向中央部に位置し、境界溝部８３よりも坪量が高く、小吸収部３９の厚みは、境界溝部８３よりも厚くなっている。小吸収部３９の前後方向における寸法は、境界部Ｐ２の前後方向における寸法よりも短い。境界部Ｐ２の幅方向における小吸収部３９が設けられる領域での境界溝部８３の溝幅の寸法は、境界部Ｐ２の前後方向の寸法と小吸収部３９の前後方向の寸法との差とする。境界溝部８３は、連続して吸収性コア６３を幅方向に横切るように位置し、その溝幅は、小吸収部３９が設けられることにより幅方向中央部で狭くなるように構成される。
【００７８】
図８に示すように、２つの中間高坪量ブロック部５３ａと小吸収部３９は連結してブロック部７４を形成する。小吸収部３９と２つの後方ブロック部５４ａとは連結していないが、第４の実施形態と同様に、ナプキン１の装着時、吸収性コア６３の境界部Ｐ２付近では、吸収性コア６３が装着者の体に沿って変形することにより、ブロック部７４の小吸収部３９は、後方ブロック部５４aと当接した形状となる。
したがって、ナプキン１の装着時、中間コア部２２の中間高坪量ブロック部５３ａと後方コア部２３の後方ブロック部５４ａとは小吸収部３９を介して連なるので、中間高坪量ブロック部５３ａで取り込まれた液は、小吸収部３９を介して後方ブロック部５４ａへと速やかに拡散されやすくなる。これにより、中間コア部２２で液だまりしにくくなりナプキン１の後方部へも効率よく液を拡散することができるため、幅方向への液漏れを抑制することができる。
【００７９】
また、後方コア部２３に位置する縦溝部２７の全てが、連続して延在する１つの境界溝部８３と連通しているので、後方コア部２３で生じた変形が、中間コア部２２へより伝播しにくくなる。
更に、後方コア部２３に位置する全ての縦溝部２７と、境界溝部８３と、中間コア部２２の周縁溝部２９とが連通していることにより、中間コア部２２の周縁溝部２９の空間に引き込まれた液は、境界溝部８３を介して後方コア部２３に配列される縦溝部２７へ拡散しやすくなる。これにより、中間コア部２２で液だまりしにくくなりナプキン１の後方部へも効率よく液を拡散することができ、幅方向への液漏れを抑制することができる。
【００８０】
本実施形態においても、第２の実施形態と同様に、小吸収体３９が、中間高坪量ブロック部５３ａの上部が延在した庇状の延在部を含むように構成されてもよい。
【００８１】
＜第６の実施形態＞
図９を用いて本実施形態のナプキン１の吸収性コア６４について説明する。
本実施形態では、第４の実施形態と同様に境界溝部８４が吸収性コア６４を幅方向に横切るように幅方向全長に亘って連続して形成される場合の更に他の構成について説明する。
図９に示すように、本実施形態では、平面視したときに、小吸収部４０は、後方ブロック部５４ａと連結し、中間高坪量ブロック部５３ａとは連結していない形状を有している。
【００８２】
図９に示すように、境界部Ｐ２には、小吸収部４０と、境界溝部８４が設けられている。
小吸収部４０は、境界部Ｐ２の幅方向中央部に位置し、境界溝部８４よりも坪量が高く、小吸収部４０の厚みは、境界溝部８４よりも厚くなっている。小吸収部４０の前後方向における寸法は、境界部Ｐ２の前後方向における寸法よりも短い。境界部Ｐ２の幅方向における小吸収部４０が設けられる領域での境界溝部８４の溝幅の寸法は、境界部Ｐ２の前後方向の寸法と小吸収部４０の前後方向の寸法との差とする。境界溝部８４は、連続して吸収性コア６４を幅方向に横切るように位置し、その溝幅は、小吸収部４０が設けられることにより幅方向中央部で狭くなるように構成される。
【００８３】
図９に示すように、後方ブロック部５４ａと小吸収体４０は連結しているが、中間高坪量ブロック部５３ａと小吸収４０とは連結していない。しかしながら、第４の実施形態と同様に、ナプキン１の装着時、吸収性コア６４の境界部Ｐ２付近では、吸収性コア６４が装着者の体に沿って変形することにより、後方ブロック部５４ａに連結する小吸収部４０は、中間高坪量ブロック部５３aと当接する形状となる。
したがって、ナプキン１の装着時、中間コア部２２の中間高坪量ブロック部５３ａと後方ブロック部５４ａに連結する小吸収部４０とは連なるので、中間高坪量ブロック部５３ａで取り込まれた液は、小吸収部４０を介して後方ブロック部５４ａへと速やかに拡散されやすくなる。これにより、中間コア部２２で液だまりしにくくなりナプキン１の後方部へも効率よく液を拡散することができるため、幅方向への液漏れを抑制することができる。
【００８４】
また、後方コア部２３に位置する縦溝部２７の全てが、連続して延在する１つの境界溝部８４と連通しているので、後方コア部２３で生じた変形が、中間コア部２２へより伝播しにくくなる。
更に、後方コア部２３に位置する５つの縦溝部２７は、境界溝部８４を介して、中間コア部２２に位置する縦溝部２７ｃ及び周縁溝部２９と連通している。これにより、中間コア部２２の縦溝部２７ｃ及び周縁溝部２９の空間に引き込まれた液は、境界溝部８４を介して後方コア部２３に配列される縦溝部２７へ拡散しやすくなる。これにより、中間コア部２２で液だまりしにくくなりナプキン１の後方部へも効率よく液を拡散することができ、幅方向への液漏れを抑制することができる。
【００８５】
本実施形態においても、第２の実施形態と同様に、小吸収体４０が、後方ブロック部５４ａの上部が中間コア部２２に向かって延在した庇状の延在部を含むように構成されてもよい。
【００８６】
以上、本発明の各実施形態について説明したが、本発明は上述の実施形態にのみ限定されるものではなく、本発明の要旨を逸脱しない範囲内において種々変更を加え得ることは勿論である。例えば本発明の実施形態は各実施形態を組み合わせた実施形態とすることができる。
例えば、上述の実施形態では、中間コア部２２が、前方コア部２１及び後方コア部２３よりも幅狭の構成である場合について説明したが、同等の幅で、括れのない吸収性コアであってもよい。
【００８７】
また、境界部Ｐ２の前後方向における寸法が幅方向に沿って同等となる形状、換言すると、幅方向に沿って等幅で延在する形状をあげたが、これに限定されない。吸収性コアを幅方向で横切り、前後方向における寸法が幅方向で異なる境界部Ｐ２としてもよい。このような場合、境界部Ｐ２において小吸収部が設けられない部分が境界溝部となる。このような場合においても、境界部Ｐ２の少なくとも一部に小吸収部が設けられることにより、境界部Ｐ２による過度の変形が抑制される。
【００８８】
また、境界溝部は幅方向に平行な形態に限定されるものではなく、屈曲していたり湾曲している形態であったり、溝の前後縁が波状であっても良い。
【００８９】
また、上記各実施形態では、境界溝部３１，８０〜８４の幅方向に沿った全長と、境界部Ｐ２の幅方向に沿った全長が同じとなっているが、これに限定されない。
例えば、図１０に示すように、境界部Ｐ２の幅方向の両側方部に１つずつ後方コア部５４と連結した小吸収部４１が設けられていてもよい。境界溝部３１が、装着者の身体の曲率変形が大きい排泄部から後方部にかけた領域に対応する吸収性コアが前後方向で境界溝部３１を変形起点として変形しやすく、また、中間コア部２２（後方コア部２３）の変形が後方コア部２３（中間コア部２２）へ及ぼす影響を抑制する程度に、ある程度の全長を持って形成されていればよい。
【００９０】
また、上記各実施形態では、吸収性物品として生理用ナプキンの例を示したが、これに限定されない。本発明の吸収性物品は、例えば、失禁パットやおりものシート、使い捨ておむつ等であってもよい。
【００９１】
＜上記の実施形態の追加説明＞
上記の実施形態の説明を補足する。
（溝部の幅の測定方法）
溝部の幅は、溝部の開口部における幅を測定することにより求める。吸収性コアを水平に置き、マイクロスコープ（ＫＥＹＥＮＣＥ社製ＶＨＸ−１０００）により測定倍率を調整して吸収性コアの上面を拡大することで、開口幅を測定する。
或いは、フェザー社製片刃剃刀を用いて吸収性コア２０を切断し、切断されたサンプルの断面を、マイクロスコープ（ＫＥＹＥＮＣＥ社製ＶＨＸ−１０００）を用いて２０〜１００倍の倍率で観察し、溝幅を測定してもよい。
【００９２】
（吸収性コアの各部の厚みの測定方法）
測定対象である吸収性コアの厚みの測定は、各々の部位について坪量を測定するために切り出した小片の厚みを測定することで行う。吸収性コアより切り出した小片を５ｋＰａの圧力で１０分間加圧し、除重後すぐに測定を行う。除重後のサンプルの中央域に、大きさ２０ｍｍ×２０ｍｍ、厚み３ｍｍのアクリルプレートを置き、ＫＥＹＥＮＣＥ社製非接触式レーザー変位計（レーザーヘッドＬＫ−Ｇ３０、変位計ＬＫ−ＧＤ５００）を用い、サンプルの厚みを測定する。切り出した小片の大きさが小さく、非接触式レーザー変位計により測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。
【００９３】
（吸収性コアの各部の坪量の測定方法）
測定対象である吸収性コアの各部をフェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００９４】
（各構成の数値例）
上記吸収性コアの各構成の数値例について説明するが、ここに記載する数値に限定されない。境界溝部の溝幅及び底部の厚み、境界溝部が幅方向で境界部Ｐ２を占める割合、小吸収部の大きさ及び厚み、小吸収部が幅方向で境界部Ｐ２を占める割合等は、吸収性コアの前後方向での変形しやすさの点、中間コア部２２（後方コア部２３）の変形が後方コア部２３（中間コア部２２）へ及ぼす影響を抑制する点等から適宜設定される。また、各溝部の底部及びブロック部の厚み、坪量は、装着者に違和感を与えにくい適度な厚みで快適な装着感を提供しつつ十分な吸収量が得られるように適宜設定される。
【００９５】
後方コア部２３に配列される５つの縦溝部２７のうち幅方向側方部に位置する一対の側方縦溝部２７ｂの溝幅は、０．５ｍｍ以上であり、好ましくは１ｍｍ以上である。そして、２．５ｍｍ以下であり、好ましくは２ｍｍ以下である。また、０．５ｍｍ以上２．５ｍｍ以下であり、好ましくは１ｍｍ以上２ｍｍ以下である。
後方コア部２３の幅方向中央部に位置する３つの中央縦溝部２７ａの溝幅は、２．５ｍｍ以上であり、好ましくは３ｍｍ以上である。そして、５．５ｍｍ以下であり、好ましくは５ｍｍ以下である。また、２．５ｍｍ以上５．５ｍｍ以下であり、好ましくは３ｍｍ以上５ｍｍ以下である。
中間コア部における縦溝部２７ｃの幅及び周縁溝部２９の溝幅は、０．５ｍｍ以上であり、好ましくは１ｍｍ以上である。そして、１０ｍｍ以下であり、好ましくは５ｍｍ以下である。また、０．５ｍｍ以上１０ｍｍ以下であり、好ましくは１ｍｍ以上５ｍｍ以下である。
横溝部２８の溝幅（前後方向における寸法）は、０．５ｍｍ以上であり、好ましくは１ｍｍ以上である。そして、１０ｍｍ以下であり、好ましくは５ｍｍ以下である。また、０．５ｍｍ以上１０ｍｍ以下であり、好ましくは１ｍｍ以上５ｍｍ以下である。
【００９６】
上記各実施形態において、連続又は非連続で幅方向に延在する境界溝部３１、８０〜８４の溝幅（前後方向における寸法）は、幅方向で小吸収部が位置しない領域において等幅となっている。
境界溝部３１、８０〜８４の幅方向で小吸収部が位置しない領域での溝幅は、体へのフィット性及び中間コア部２２（後方コア部２３）で発生した変形が後方コア部２３（中間コア部２２）に及ぼす影響を低減させる点から、１ｍｍ以上、好ましくは２ｍｍ以上である。
また、境界溝部３１、８０〜８４の幅方向で小吸収部３５〜４０が位置しない領域での溝幅は、境界部Ｐ２での吸収性コアのよれなどの変形を抑制する点から、１０ｍｍ以下、好ましくは５ｍｍ以下である。このような上限値とすることにより、境界部Ｐ２でよれ等の発生が抑制され、境界部Ｐ２で発生したよれ等の変形に追従して後方コア部２３の装着ずれが生じるといったことを抑制することができる。
境界溝部３０においても境界溝部３１、８０〜８４と同様の溝幅とすることができる。
【００９７】
また、装着者の身体の曲率変形が大きい排泄部から後方にかけた領域に対応する吸収性コアの前後方向での変形しやすさの点、中間コア部２２（後方コア部２３）の変形が後方コア部２３（中間コア部２２）へ及ぼす影響を抑制する点から、幅方向で小吸収部３５〜４０が位置しない領域での境界溝部３１、８０〜８４が幅方向で境界部Ｐ２に対して占める割合は６０％以上、好ましくは６５％以上である。
幅方向で小吸収部３５〜４０が位置しない領域での境界溝部３１、８０〜８４が幅方向で境界部Ｐ２に対して占める割合は１００％よりも低ければよい。１００％よりも低いということは、境界部Ｐ２に小吸収部３５〜４０が存在することを意味する。
【００９８】
装着者の身体の曲率変形が大きい排泄部から後方にかけた領域に対応する吸収性コアの前後方向での変形しやすさの点、中間コア部２２（後方コア部２３）の変形が後方コア部２３（中間コア部２２）へ及ぼす影響を抑制する点から、小吸収部３５〜４０が幅方向で境界部Ｐ２に対して占める割合は、４０％以下、好ましくは３０％以下である。
小吸収部３５〜４０が幅方向で境界部Ｐ２に対して占める割合の下限値は０％より大きければよく、２％以上であることがより好ましく、小吸収部３５〜４０が境界部Ｐ２に存在することにより、境界部Ｐ２の曲げ強度が向上し、過度な変形が抑制される。
小吸収部３５〜４０が幅方向で境界部Ｐ２に対して占める割合は、０％よりも大きく４０％以下であり、好ましくは２％以上３０％以下である。
尚、小吸収部３５〜４０の幅方向における寸法の具体的な数値は境界部Ｐ２の幅によるが、例えば境界部Ｐ２の幅が６０ｍｍ以上９０ｍｍ以下であれば、３６ｍｍ以下、好ましくは２７ｍｍ以下である。
【００９９】
小吸収部３５〜４０の前後方向における寸法は特に限定されず、境界部Ｐ２の曲げ強度の向上の点から、小吸収部３５〜４０が境界部Ｐ２に設けられればよい。
境界溝部８２〜８４のように平面視したときに連続して幅方向に沿って延在する形状の境界溝部においては、小吸収部３８〜４０の存在により境界溝部８２〜８４の溝幅が狭くなればよい。
一方、境界溝部３１、８０、８１のように平面視したときに非連続で延在する形状の境界溝部においては、小吸収部３５〜３７の前後方向における寸法を、境界部Ｐ２の前後方向における寸法と同等とし、小吸収部が境界部Ｐ２を前後方向で横切るように配置すればよい。
【０１００】
境界部Ｐ２の曲げ強度の向上に加え、中間コア部２２で取り込まれた液の後方部への速やかな拡散を促進する点から、中間高坪量ブロック部５３ａ及び後方ブロック部５４ａはそれぞれ小吸収部と連結又は当接、或いはナプキン１の装着時に当接可能に構成されていることがより好ましい。
例えば、小吸収部３８〜４０のように、平面視したときに、前後方向で、小吸収部と中間高坪量ブロック部５３ａとが連結又は当接せず、或いは、小吸収部と後方ブロック部５４ａとが連結又は当接していない場合、ナプキン１の装着時に、吸収性コアが変形して、小吸収部と中間高坪量ブロック部５３ａとが当接し、更に、小吸収部と後方ブロック部５４ａとが当接するように、小吸収部の前後方向の寸法を設定することが好ましい。当接可能となるように、小吸収部の前後方向の寸法は、境界溝部３１、８０〜８４の坪量、厚み及び溝幅、小吸収部の坪量や厚みにより適宜設定することができる。
【０１０１】
横溝部２８、縦溝部２７及び境界溝部３０、３１、８０〜８４の底部の厚みは、例えば０．５ｍｍ以上６ｍｍ以下である。横溝部２８、縦溝部２７及び境界溝部３０、３１、８０〜８４の底面の坪量は、例えば２５ｇ／ｍ２以上３００ｇ／ｍ２以下である。
前方コア部２２の前方ブロック部５１及び後方コア部２３の後方ブロック部５４の厚みは、例えば２ｍｍ以上１０ｍｍ以下である。前方ブロック部５１及び後方ブロック部５４の坪量は、例えば１００ｇ／ｍ２以上５００ｇ／ｍ２以下である。
低坪量部２５の厚みは、例えば２ｍｍ以上１２ｍｍ以下である。低坪量部２５の底面の坪量は、例えば１００ｇ／ｍ２以上７００ｇ／ｍ２以下である。
高坪量部２４の厚みは、例えば３ｍｍ以上１５ｍｍ以下である。高坪量部２４の底面の坪量は、例えば４００ｇ／ｍ２以上１０００ｇ／ｍ２以下である。
小吸収部の厚みは、例えば２ｍｍ以上１５ｍｍ以下である。小吸収部の底面の坪量は、例えば１００ｇ／ｍ２以上１０００ｇ／ｍ２以下である。
【０１０２】
前方コア部２１及び後方コア部２３の幅は、６０ｍｍ以上１００ｍｍ以下であり、好ましくは７０ｍｍ以上９０ｍｍ以下である。中間コア部２２の幅は、４０ｍｍ以上７５ｍｍ以下であり、好ましくは５０ｍｍ以上７０ｍｍ以下である。
このように中間コア部２２の幅を前方及び後方コア部２１，２３よりも狭くすることにより、装着者の脚等により付加される幅方向内方へ向かう外力の影響を受けにくくなるとともに、幅方向の装着位置ずれにも対応可能となり、装着者に対して安心感を与えることができる。
中間コア部２２の前後方向の長さは、６０ｍｍ以上１７０ｍｍ以下、好ましくは８０ｍｍ以上１６０ｍｍ以下である。これにより、前後方向の装着位置ずれ等があった場合にも、中間コア部２２を装着者の排泄部に対向させることができる。
【符号の説明】
【０１０３】
１…吸収性物品（生理用ナプキン、ナプキン）
２０，６０，６１，６２，６３，６４，６５…吸収性コア
２１…前方コア部
２２…中間コア部
２３…後方コア部
２４…高坪量部（境界溝部よりも坪量の高い領域）
２５…低坪量部（境界溝部よりも坪量の高い領域）
３１，８０，８１，８２，８３，８４…境界溝部
３５，３６，３７，３８，３９，４０，４１…小吸収部
５４…後方ブロック部（境界溝部よりも坪量の高い領域）
Ｐ２…境界部
【図１】
2019208815.tif 000003
【図２】
2019208815.tif 000004
【図３】
2019208815.tif 000005
【図４】
2019208815.tif 000006
【図５】
2019208815.tif 000007
【図６】
2019208815.tif 000008
【図７】
2019208815.tif 000009
【図８】
2019208815.tif 000010
【図９】
2019208815.tif 000011
【図１０】
2019208815.tif 000012
【図１１】
2019208815.tif 000013